(57)【要約】【課題】  軽量化が容易で釣糸との摺動抵抗が少なく、釣糸の繰り出しや巻き取りに際して糸崩れなどを起こすことなく安定に行うことができ、その投擲操作性に優れると共に、耐摩耗性と耐久性、経済性に優れた魚釣り用リールのスプールを提供する。【解決手段】  リール本体に対して着脱自在に取り付けられ、その軸方向に往復動されその略円筒状の糸巻胴部１１ａに釣糸を巻き取り又は繰り出す魚釣り用リール１０のスプール１１であって、少なくとも糸巻胴部１１ａがＭＣナイロンなどのポリアミド樹脂で形成され、釣糸の繰り出し時の摩擦抵抗を軽減して、耐摩耗性と耐久性を高める。【選択図】  図２
2005160413.tif 000002
【特許請求の範囲】
【請求項１】
リール本体に対して着脱自在に取り付けられ、その軸方向に往復動されその略円筒状の糸巻胴部に釣糸を巻き付け又は巻き解く魚釣り用リールのスプールであって、少なくとも糸巻胴部がポリアミド樹脂で形成されていることを特徴とする魚釣り用リールのスプール。
【請求項２】
前記ポリアミド樹脂に炭素質補強材が分散含有されていることを特徴とする請求項１に記載の魚釣り用リールのスプール。
【請求項３】
前記糸巻胴部が、その先端に向かって所定角度で縮径するテーパー部と、前記テーパー部の先端側にねじ部や嵌合部を介して着脱自在に取り付けられ、前記テーパー部の先端側外径より拡径して形成され前記リール本体に支持される糸止フランジ部と、を備えていることを特徴とする請求項１又は２に記載の魚釣り用リールのスプール。
【請求項４】
前記糸止フランジ部と前記テーパー部との接続部に、耐摩耗性環状体が着脱自在に又は固定して装着されていることを特徴とする請求項３に記載の魚釣り用リールのスプール。
【請求項５】
前記テーパー部の外周に釣糸の巻き付け又は巻き解きをガイドする螺旋溝が形成されていることを特徴とする請求項１〜４のいずれかに記載の魚釣り用リールのスプール。
【発明の詳細な説明】
【技術分野】
【０００１】
本発明は、リール本体に対して前後移動（軸方向に往復動）自在に設けられた魚釣り用リールのスプールに関する。
【背景技術】
【０００２】
従来の魚釣用リールは、ローターに設けられた一対の支持アームの先端に半環状のベールが、ベール支持部材を介して正反転自在に取り付けられている。このベールを釣糸放出位置側に倒して仕掛けを投げると、スプールに巻回された釣糸が放出され、一方、ベールを釣糸巻取り位置側へ反転させてハンドル操作でローターを釣糸巻取り方向へ回転させると、ローターの回転に連動して往復動するスプールに釣糸が巻回されるようになっている。
魚釣用リールのスプールは、リール本体に対して前後移動自在に設けられ、釣糸が巻かれる糸巻胴部と、糸巻胴部の前端に配置され糸巻胴部より大径のフランジ部と、糸巻胴部の後方に配置されたスカート部とを有して、これらがアルミなどの金属材やポリエチレンなどの合成樹脂材などにより一体に成形されている。
この種のスプールでは、糸巻胴部はリール本体に前後移動自在に支持されたスプール軸に装着されており、糸巻胴部及びフランジ部のスプール軸の軸芯に直交する断面は円形に形成され、糸巻胴部のスプール軸芯を含む断面形状が、前方に向かって縮径する順テーパーで形成されたものや、また後方に縮径する逆テーパーで形成されたものが知られている。
例えば、特許文献１には、スプールの前側鍔部を釣糸巻胴部と逆方向のテーパー形状として、当該前側鍔部の先端側からテーパー角度を順次小さくした複数のテーパー部で形成した魚釣用スピニングリールのスプールが記載されている。
【特許文献１】特開平９−２９８９９３号公報
【発明の開示】
【発明が解決しようとする課題】
【０００３】
しかしながら、前記従来のスプールでは、以下のような課題があった。
（１）スプールが金属製の場合、その軽量化が困難であり、また、海水に対する耐食性に欠けその保守性に難があることに加え、精密な加工を施す際には手間がかかるために高価になりやすいという課題があった。
（２）スプールをポリエチレンなどの合成樹脂にしたものでは、これらの合成樹脂が耐久性や耐摩耗性に欠けるために釣糸の摺動によって糸巻胴部が摩耗しやすく、特にその先端の糸止めフランジ部の周囲が摩滅して、リール投擲の際に釣糸の繰り出しが不安定となって、良好な釣果が得られない場合があるという課題があった。
（３）また、一旦、スプールが部分的に摩耗してしまうと、スプールが一体に構成されているので、全体を交換せねばならず、このようなスプールに係る経費が結果的に高価になるという課題があった。
（４）特許文献１に記載のスプールでは、釣竿を振り下ろして釣糸を遠方へ放出する場合、糸巻胴部が複数のテーパー部で形成されているので、釣糸の繰り出しや巻き付けの際に釣糸同士やスプール面とで摺動抵抗がテーパー部毎に変動して糸崩れを起こし、充分な飛距離が得られない場合があるという課題があった。
【０００４】
本発明は前記従来の課題を解決するためになされたもので、その軽量化が容易で釣糸との摺動抵抗が少なく、釣糸の繰り出しや引き込みに際して糸崩れを起こすことなく安定に行うことができ、その投擲操作性に優れると共に、耐摩耗性、耐久性及び経済性に優れた魚釣り用リールのスプールを提供することを目的とする。
【課題を解決するための手段】
【０００５】
（１）本発明の魚釣り用リールのスプールは、リール本体に対して着脱自在に取り付けられ、その軸方向に往復動されその略円筒状の糸巻胴部に釣糸を巻き付け又は巻き解く魚釣り用リールのスプールであって、少なくとも糸巻胴部がポリアミド樹脂で形成されて構成されていることを特徴とする。
【０００６】
（２）本発明の魚釣り用リールのスプールは、前記（１）において、前記ポリアミド樹脂に炭素質補強材が分散含有されていることにも特徴を有している。
【０００７】
（３）本発明の魚釣り用リールのスプールは、前記（１）又は（２）において、前記糸巻胴部がその先端に向かって所定角度で縮径するテーパー部と、前記テーパー部の先端側にねじ部や嵌合部を介して着脱自在に取り付けられ、前記テーパー部の先端側外径より拡径して形成され前記リール本体に支持される糸止フランジ部と、を備えることにも特徴を有している。
【０００８】
（４）本発明の魚釣り用リールのスプールは、前記（３）において、前記糸止フランジ部と前記テーパー部との接続部に、耐摩耗性環状体が着脱自在に又は固定して装着されていることにも特徴を有している。
【０００９】
（５）本発明の魚釣り用リールのスプールは、前記（１）〜（４）において、前記テーパー部の外周に釣糸の巻き付け又は巻き解きをガイドする螺旋溝が形成されていることにも特徴を有している。
【発明の効果】
【００１０】
（１）本発明の魚釣り用リールのスプールは、少なくとも糸巻胴部がＭＣナイロンなどのポリアミド樹脂で形成されているので、優れた耐摩耗性と耐久性を有し、軽量でしかも堅牢なスプールとすることができる。
また、釣糸との摺動抵抗を少なくできるので、釣糸の繰り出しや引き込みに際して糸崩れを起こすことなく安定に釣糸の繰り出しや引き込みを行うことができ釣糸の投擲操作性に優れている。
【００１１】
（２）本発明の魚釣り用リールのスプールは、前記ＭＣナイロンなどのポリアミド樹脂に、カーボン繊維、カーボン粉、または黒鉛粉などの炭素質補強材を分散含有させることができ、さらに、スプールの剛性や耐久性を高めることができると共に、釣糸との滑り性を向上させることができる。
【００１２】
（３）本発明の魚釣り用リールのスプールは、前記糸巻胴部が、その先端に向かって縮径するテーパー部と、そのテーパー部の先端側にねじ部や嵌合部を介して着脱自在に取り付けられ、テーパー部の先端側外径より拡径して形成されリール本体に支持される糸止めフランジ部とを備えるので、糸止めフランジ部をテーパー部とは別体に糸巻胴部を構成させ、それぞれの使用状況や、摩耗特性、摺動特性などを考慮して、異なる材料の組合せのものや、先端の糸出し角度の異なるものなどを選択してスプールを組み立てて、糸出しの操作性や回転バランスなどの調整を行うことができる。
【００１３】
（４）本発明の魚釣り用リールのスプールは、糸止フランジ部とテーパー部との接続部に耐摩耗性環状体を着脱自在に又は固定して装着できるので、この耐摩耗性環状体により釣糸が摺動することによる摩耗を格段に少なくでき、常時安定した釣糸の操作ができる。また、この耐摩耗性環状体を他の糸止フランジ部とテーパー部とのセットなどに交換して用いることもでき、経済性や汎用性に優れている。
【００１４】
（５）本発明の魚釣り用リールのスプールは、テーパー部の外周に釣糸の巻き付け又は巻き解きをガイドする螺旋溝が形成されているので、釣糸の巻き始めの際に一定の巻き付け状態を維持させることができ、テーパー部への釣糸の巻き付けが不均一になるのを防止して良好な糸出しを行うことができる。
【発明を実施するための最良の形態】
【００１５】
本発明は、軽量化、剛性が容易で、しかも、釣糸の操作を安定に行うことができると共に、耐摩耗性、耐久性及び経済性に優れた魚釣り用リールのスプールを提供することを目的としたもので、スプールの少なくとも糸巻胴部がＭＣナイロンなどのポリアミド樹脂で形成されるようにしてこれを実現したものである。以下これを具体化した実施の形態について図面を参照しながら説明する。
【００１６】
（実施の形態１）
図１は、本発明に係る実施の形態１の魚釣り用リールのスプールが装着されたリールの側面図である。
図１において、１０は魚釣り用リール、１１は略円筒状のスプールであり、魚釣り用リール１０のリール本体１２のオシレーティング機構を備えた支持部（図示しない）を介して着脱自在に装着され軸方向に所定ピッチで往復動される。
１３はローターであり、リール本体１２に取り付けられたハンドル１４を介して正逆回転され釣糸をスプール１１に巻き付け巻き戻す。
１５は半環状のベールであり、ローター１３に配置されて回転する。
１６は釣り竿係止部材であり、これによりリール本体１２を釣り竿に取り付ける。
図２（ａ）は魚釣り用リールのスプールの斜視図であり、図２（ｂ）はその側断面図である。
図２に示すように、スプール１１は、ローター１３により釣糸が巻かれる糸巻胴部１１ａを備え、
この糸巻胴部１１ａは、その先端に向かって所定角度で縮径するテーパー部１１ｂを有し、
テーパー部１１ｂの先端部は、半径方向に拡径して釣糸の繰り出しを停止するための糸止フランジ部１１ｃが形成されており、
一方、テーパー部１１ｂの基端側には、テーパー部１１ｂの外周から半径方向に拡径してリング状に形成された２本の補強リブ部１１ｄ、１１ｅとを有している。
さらに糸止フランジ部１１ｃの先端を延出して、スプール１１の半径方向に縮径して蓋を形成するように、スプール蓋部１１ｇが備えられている。
スプール蓋部１１ｇの中央には、リール本体１２の支持部にねじを有した図示しない係止部などに、つまみ１７を介してスプール１１を装着する嵌合孔１１ｆを備えており、必要に応じてリール本体１２からスプール１１を取り外して交換したり、その手入れなどが行えるようになっている。
【００１７】
スプール１１の糸巻胴部１１ａを構成するテーパー部１１ｂ、糸止フランジ部１１ｃ、補強リブ部１１ｄ、１１ｅ、スプール蓋部１１ｇを形成する素材としては、それぞれモノマーキャストナイロン（ＭＣナイロン）などのポリアミド樹脂が、加工性、強度、軽量化などの点で好ましく挙げられる。スプール１１は、ポリアミド樹脂などを素材として、旋盤などで切削及び研削加工したり、射出成形機やブロー成形機、鋳込み機などで成形したりして一体的に形成されている。
モノマーキャストナイロンは、耐海水性、耐摩耗性、機械的強度に優れる特長を有しており、ナイロンモノマーを大気圧下で重合、成形することにより通常の６ナイロンより機械的、熱的、化学的性質を向上させたものである。
また、モノマーキャストナイロンは、釣糸がＰＥライン（極細のポリエチレン繊維を数本編んだ、ほとんど伸びのない編み糸）の編み糸である場合に、特に滑り性がよい。ＰＥラインの編み糸は、ナイロン製の単糸のように伸縮性はなく好んで使用されるが、従来の金属製スプールやプラスチックスプールを用いると、編み糸であることからスプールを大きく摩耗する。ＰＥラインの編み糸を用いる場合は、釣糸との摺動抵抗性を低減させるためモノマーキャストナイロンを使用することが好ましい。
このようなモノマーキャストナイロンに必要に応じて、カーボン繊維やカーボン粉、黒鉛粉などの炭素質補強材やセラミック材を所定量配合させることができる。例えば、ナイロン１００重量％に対して０．１〜１０重量を分散含有させることにより、スプール１１の耐摩耗性、釣糸との摺動抵抗性をさらに改良することができる。
このモノマーキャストナイロンに含有される含有材料としては、特に限定されるものではなく、例えば、セラミック材としては、アルミナ、ジルコニア、黒鉛、シリカ、炭化珪素、ゼオライト、アルカリガラス、リン酸塩、リン酸ジルコニウム、リン酸カルシウム、炭酸カルシウム、シリカアルミナマグネシウム等を挙げることができる。
また、これら含有材料の配合量によって、その耐摩耗性などの向上の他に、スプール１１に要求される回転モーメントや重量などを調整することもできる。
【００１８】
モノマーキャストナイロン成形品の製造方法には特に制限はなく、注型金型内で重合するラクタムモノマーとしては、５員環以上の実質的無水のω−ラクタム、例えば２−ピロリドン、ε−カプロラクタム、ω−カプリロラクタム、ω−ラウロラクタム等が挙げられる。注型重合に際しては、通常アニオン重合に慣用の触媒、助触媒が使用される。例えば、触媒としては、アルカリ金属、アルカリ土類金属およびこれらの金属の水素化物、水酸化物、酸化物、炭酸塩、アルコキシ化合物、グリニャール化合物などが、また、助触媒としては、イソシアネート化合物、尿素誘導体、アシルラクタムなどが挙げられる。さらに、必要に応じ、滑剤、帯電防止剤、酸化防止剤、充填剤、ブロッキング防止剤、安定剤、染料、顔料、難燃剤、導電化剤、耐候性改良剤、強化剤、核剤などの添加剤を、上記モノマー中に添加するようにしてもよい。
【００１９】
スプール１１はモノマーキャストナイロンなどのポリアミド樹脂製の丸棒を素材として、１個ずつ旋削して形成することができる。このようなポリアミド樹脂は金属製のものとは異なり海水に対して腐食することがなく、また、複数の糸を撚って形成され伸縮性の殆どないＰＥラインをスプール１１に巻いたまま、真水、ぬるま湯に漬けておけばＰＥラインの大敵である塩分を容易に除去することができる。
さらに、モノマーキャストナイロンからなるスプール１１は前記ＰＥラインに対する適合性に優れているため、熱や温度差による糸緩みなどが少なく好適に使用することができる。
なお、スプール１１はリール本体１２に対してオシレーティング機構を介して支持部に往復動できるように取り付けられ、その上死点とベール１５の先端との間隔が３〜１０ｍｍの範囲に設定されている。これによって、ローター１３とベール１５で囲まれたスプール１１周囲の空間を最小限に設定して、糸巻き面の表面積を大きくして、釣糸の繰り出しや巻き取りの操作性を良好にするようにしている。
すなわち、スプール直径や表面積を大きくすることにより、糸の巻き数を減少させ、糸の放出抵抗を軽減させることができ、糸巻き速度を向上させることができる。
【００２０】
テーパー部１１ｂは、その先端側からスプール軸に対して所定の糸巻き面テーパー角θAで傾斜形成されている。図３に示すように、一般的に、この糸巻き面テーパー角θAが小さくなると、テーパー部１１ｂからの糸離れが不安定になったり、糸崩れを生じたりするような傾向が生じる（放出抵抗が大になる）。
逆に糸巻き面テーパー角θAが大きくなると、釣糸の放出時にラインが絡まった状態でまとまって出て行くバックラッシュと呼ばれるトラブルが発生しやすくなる（バックラッシュ発生率が大になる）ので好ましくない。本発明では、この糸巻き面テーパー角θAは、０.０１度〜４度の範囲で設定することが好ましく、さらに１度〜２度の範囲で設定することが望ましい。
糸止フランジ部１１ｃは、テーパー部１１ｂの前端外径より徐々に拡径したテーパーを有して形成され、釣糸をその前端で係止させるための部分であり、スプール１１の軸方向に対して１５度〜４５度の角度で傾斜したわずかな曲率を有する傾斜面を形成する。この前エッジテーパー角θB が１５度より小さくなると、釣糸を確実に係止するのが困難になる傾向が生じ（バックラッシュ発生率が大になる）、逆に、前エッジテーパー角θB が４５度を超えるとテーパー部１１ｂに巻き付けられた釣糸の糸離れが悪くなる（放出抵抗が大になる）ので好ましくない。
なお、必要に応じてその外周面に釣糸の巻き付け又は巻き解きをガイドする螺旋溝を形成させたり、リング状溝を多数形成させたりすることができ、これによって、テーパー部１１ｂへの釣糸の巻付け巻き解きをスムーズに行うこともできる。詳しくは後述する。
【００２１】
前記糸止フランジ部１１ｃの傾斜面１１ｃ１は、ライン（釣糸）放出時に釣糸が接触してその摩擦力が特に大きくなる傾斜面であり、この傾斜面１１ｃ１にバフ研磨などによる鏡面仕上げ加工を施しておくことが望ましい。これによって、ラインと傾斜面１１ｃ１との摩擦抵抗を低減して、ラインの放出抵抗を軽減して快適な投擲を行うことができる。
【００２２】
２本の補強リブ部１１ｄ、１１ｅは、テーパー部１１ｂの後端に設けられ、スプール１１の全体の剛性を高めるとともに、巻き付けられた釣糸をテーパー部１１ｂに確実に保持させる機能を有している。補強リブ部１１ｄ、１１ｅは、テーパー部１１ｂと一体に形成されている。
【００２３】
実施の形態１の魚釣り用リールのスプール１１は以上のように構成されているので、リール自体の釣糸摺動抵抗などの操作性を良好に維持したまま、その軽量化やメンテナンス性の向上を図ることができる。また、スプールの滑り性を向上させたことから、釣糸の繰り出し、巻き取り操作を安定に行うことができるとともに、スプールの材質がＭＣナイロンなどのポリアミド樹脂で形成されているので、特に釣糸にＰＥラインを用いる場合の適合性に優れ、耐摩耗性、耐久性及び経済性に優れた魚釣り用リールのスプールを提供することができる。
【００２４】
（実施の形態２）
図４（ａ）は実施の形態２の魚釣り用リールのスプールの斜視図であり、図４（ｂ）はその分解斜視図である。
図４に示すように実施の形態２の魚釣り用リールのスプール２０は、リール本体１２のローター１３により釣糸が巻かれる糸巻胴部２１ａを備え、この糸巻胴部２１ａはその先端に向かって所定角度で縮径するテーパー部２１ｂと、テーパー部２１ｂの先端側にねじ部や嵌合孔２１ｆを介して着脱自在に取り付けられリール本体１２に支持される糸止フランジ部２１ｃと、テーパー部２１ｂの基端側の前後にそれぞれ配置されテーパー部２１ｂの外周から張り出して形成された補強リブ部２１ｄ、２１ｅと、テーパー部２１ｂの外周面に螺旋溝状に形成された螺旋部２１ｇと、を備えている。
なお、前記実施の形態１と同様の機能を有するものついては同一の符号を付してその説明を省略している。
実施の形態２の魚釣り用リールのスプール２０においては、糸巻胴部２１ａを構成するテーパー部２１ｂと、糸止フランジ部２１ｃとを、ＭＣナイロンなどのポリアミド樹脂を素材としてそれぞれ別体として構成している。この糸止フランジ部２１ｃとテーパー部２１ｂとがそれぞれのねじ部２１ｈ、２１ｊを介して螺合され、必要に応じて分解、組み立てができる。
これによって、魚釣り用リール１０の使用状況や、糸巻胴部２１ａに必要とされる摩耗特性、摺動特性などの操作性に応じて異なる材料の組合せのものや糸出しの傾斜角度θA、θB の異なる組合せのものを適宜選択してスプール２０を組み立てることで、糸出しの操作性などの調整を容易に行うことができるようにしている。
また、テーパー部２１ｂに、釣糸の巻き付けを容易にするための約０．２〜０．５ｍｍのピッチで形成された螺旋部２１ｇが設けられているので、釣糸のスプール２０からの繰り出しや、スプール２０への巻き取り操作を安定して行うことができ、肝心な釣糸の巻き始めに釣糸が滑らないようにしっかりと固定して糸崩れや釣糸の不均一な重なりによる糸巻面のばらつきなどを効果的に防止することができる。
また、このように糸巻面に螺旋部２１ｇを設けることにより、糸巻面に巻き取った糸の面が突起状に盛り上がることがなく、平坦な糸巻面を形成維持させることができ、釣糸の放出時における突起状部分への釣糸の引っ掛かりを防止できる。
【００２５】
（実施の形態３）
図５（ａ）は実施の形態３の魚釣り用リールのスプールの斜視図であり、図５（ｂ）はその分解斜視図である。
図５に示すように、実施の形態３の魚釣り用リールのスプール３０は、テーパー部２１ｂと糸止フランジ部２１ｃとがねじ部等を介して接合できるように構成され、このテーパー部２１ｂの先端部に嵌合部３１を形成して、スプール蓋部３３とテーパー部２１ｂとの接続部に耐摩耗性環状体３２が着脱自在に又は固定して装着されるようになっている。
なお、実施の形態３の魚釣り用リールのスプール３０は前記実施の形態２の魚釣り用リールのスプール２０の糸止フランジ部２１ｃを分離独立させて耐摩耗性環状体３２としたもので、その他の構成は略同様であるのでこれらの各部については同一の符号を付してその説明を省略する。
【００２６】
耐摩耗性環状体３２は、炭化珪素や炭化チタン、アルミナ、シリカアルミナ、ジルコニア、黒鉛、ダイヤモンドライクカーボンなどからなるセラミックや、これらのセラミックを含む合成樹脂素材などで形成されたリング状の高耐摩耗部材や低摺動抵抗部材である。
このような耐摩耗性環状体３２を摩耗性の激しい糸止フランジ部２１ｃとして、スプール蓋部３３とテーパー部２１ｂとの接続部に装着することによって、繰り出し時の糸摩耗性に優れたスプールを提供することができる。また、耐摩耗性環状体３２が交換可能であるので、傾斜角度θAや傾斜角度θBがそれぞれ異なる組合せのものを使用でき、リールの操作性を向上させることもできる。
【００２７】
実施の形態３の魚釣り用リールのスプール３０は、スプール蓋部３３とテーパー部２１ｂとの接続部に耐摩耗性環状体３２を着脱自在に又は固定して装着して糸止フランジ部２１ｃとして使用するので、この耐摩耗性環状体３２により釣糸の摺動時の摩耗を格段に少なくでき、常時安定した釣糸の繰り出し操作ができる。また、使用状況などに応じて、耐摩耗性環状体３２を交換して使用できるので、経済性や汎用性に優れている。
【産業上の利用可能性】
【００２８】
本発明は、魚釣り用リールのスプールの分野に適用でき、軽量化が容易であると共にその投擲操作性に優れ、特に耐腐食性や耐久性、摺動抵抗性の面などからＰＥラインを釣糸として用いる場合の適合性に優れている。
【図面の簡単な説明】
【００２９】
【図１】魚釣り用リールのスプールが装着されるリールの側面図である。
【図２】（ａ）実施の形態１の魚釣り用リールのスプールの斜視図である。          （ｂ）その側断面図である。
【図３】糸巻き面テーパー角θA、前エッジテーパー角θBと、放出抵抗、バックラッシュ発生率の関係を示したグラフである。
【図４】（ａ）実施の形態２の魚釣り用リールのスプールの斜視図である。          （ｂ）その分解斜視図である。
【図５】（ａ）実施の形態３の魚釣り用リールのスプールの斜視図である。          （ｂ）その分解斜視図である。
【符号の説明】
【００３０】
１０  魚釣り用リール
１１  スプール
１１ａ  糸巻胴部
１１ｂ  テーパー部
１１ｃ  糸止フランジ部
１１ｃ１  傾斜面
１１ｄ、１１ｅ  補強リブ部
１１ｆ  嵌合孔
１１ｇ  スプール蓋部
１２  リール本体
１３  ローター
１４  ハンドル
１５  ベール
１６  釣り竿係止部材
１７  つまみ
２０  スプール
２１ａ  糸巻胴部
２１ｂ  テーパー部
２１ｃ  糸止フランジ部
２１ｄ、２１ｅ  補強リブ部
２１ｆ  嵌合孔
２１ｇ  螺旋部
２１ｈ、２１ｊ  ねじ部
３０  スプール
３１  嵌合部
３２  耐摩耗性環状体
３３  スプール蓋部
【図１】
2005160413.tif 000003
【図２】
2005160413.tif 000004
【図３】
2005160413.tif 000005
【図４】
2005160413.tif 000006
【図５】
2005160413.tif 000007